【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
エレベーターの動作を制御する制御基板から、当該エレベーターが備えるカゴが位置する階床を示す階床信号を取得する取得手段と、
前記取得手段が取得した階床信号に基づいて、当該階床信号が示す階床が切り替わるごとに、前記カゴが移動した階床数を計数する計数手段と、
前記計数手段が計数した階床数と、前記エレベーターが設けられた建物の１階床分の尺度とに基づいて、前記カゴの走行距離を算出する算出手段と、
前記算出手段が算出した走行距離を記憶する記憶手段と、
前記記憶手段が記憶する走行距離に関する情報を管理サーバコンピュータに送信する送信手段と、
を備え、
前記取得手段は、前記制御基板が備える保守点検用の端子を介して、または、前記制御基板と前記カゴおよび各乗り場に設けられた操作盤のいずれかとを接続するＩ／Ｏ基板のコネクタ部を介して、前記階床信号を取得し、
前記記憶手段は、前記計数手段が計数した階床数および当該階床数の計数をおこなった日時を記憶することを特徴とする遠隔監視支援装置。
【請求項２】
前記計数手段は、前記取得手段が取得した階床信号が示す階床が切り替わってから、当該階床が所定時間一定となるまでの階床数を計数し、
前記算出手段は、前記取得手段が取得した階床信号が示す階床が所定時間一定となった場合に、前記取得手段が取得した階床信号が示す階床が切り替わってから当該階床が所定時間一定となるまでの間に前記計数手段が計数した階床数と前記尺度とに基づいてあらたな走行距離を算出し、前記あらたな走行距離を前記記憶手段が記憶する走行距離に加算することにより前記カゴの走行距離を算出することを特徴とする請求項１に記載の遠隔監視支援装置。
【請求項３】
前記計数手段は、前記取得手段が取得した階床信号が示す階床が切り替わるごとに、前記階床数を計数し、
前記算出手段は、前記計数手段が階床数を計数するごとに、前記記憶手段が記憶する走行距離に前記尺度を加算することを特徴とする請求項１に記載の遠隔監視支援装置。
【請求項４】
エレベーターの動作を制御する制御基板から、当該エレベーターが備えるカゴが位置する階床を示す階床信号を取得する取得手段と、
前記取得手段が取得した階床信号に基づいて、当該階床信号が示す階床が切り替わるごとに、前記カゴが移動した階床数を計数する計数手段と、
前記計数手段が計数した階床数および当該階床数の計数をおこなった日時を記憶する記憶手段と、
前記記憶手段が記憶した階床数と、前記エレベーターが設けられた建物の１階床分の尺度とに基づいて、前記カゴの走行距離を算出する算出手段と、
前記算出手段が算出した走行距離に関する情報を管理サーバコンピュータに送信する送信手段と、
を備え、
前記取得手段は、前記制御基板が備える保守点検用の端子を介して、または、前記制御基板と前記カゴおよび各乗り場に設けられた操作盤のいずれかとを接続するＩ／Ｏ基板のコネクタ部を介して、前記階床信号を取得することを特徴とする遠隔監視支援装置。
【請求項５】
エレベーターの動作を制御する制御基板に接続される遠隔監視支援装置と、当該遠隔監視支援装置と通信可能な管理サーバコンピュータと、を備えた遠隔監視システムであって、
前記遠隔監視支援装置は、
前記制御基板から前記エレベーターが備えるカゴが位置する階床を示す階床信号を、前記制御基板が備える保守点検用の端子を介して、または、前記制御基板と前記カゴおよび各乗り場に設けられた操作盤のいずれかとを接続するＩ／Ｏ基板のコネクタ部を介して取得する取得手段と、
前記取得手段が取得した階床信号に基づいて、当該階床信号が示す階床が切り替わるごとに、前記カゴが移動した階床数を計数する計数手段と、
前記計数手段が計数した階床数と、前記エレベーターが設けられた建物の１階床分の尺度とに基づいて、前記カゴの走行距離を算出する算出手段と、
前記算出手段が算出した走行距離を記憶する記憶手段と、
前記記憶手段が記憶する走行距離に関する情報を前記管理サーバコンピュータに送信する送信手段と、を備え、
前記記憶手段は、前記計数手段が計数した階床数および当該階床数の計数をおこなった日時を記憶し、
前記管理サーバコンピュータは、
前記遠隔監視支援装置から送信された情報に基づいて、前記カゴの走行距離に関する情報を含む報告書情報を生成する報告書情報生成手段と、
前記報告書情報生成手段が生成した報告書情報を出力する報告書情報出力手段と、を備えたことを特徴とする遠隔監視システム。
【請求項６】
エレベーターの動作を制御する制御基板に接続される遠隔監視支援装置と、当該遠隔監視支援装置と通信可能な管理サーバコンピュータと、を備えた遠隔監視システムであって、
前記遠隔監視支援装置は、
前記制御基板から前記エレベーターが備えるカゴが位置する階床を示す階床信号を、前記制御基板が備える保守点検用の端子を介して、または、前記制御基板と前記カゴおよび各乗り場に設けられた操作盤のいずれかとを接続するＩ／Ｏ基板のコネクタ部を介して取得する取得手段と、
前記取得手段が取得した階床信号に基づいて、当該階床信号が示す階床が切り替わるごとに、前記カゴが移動した階床数を計数する計数手段と、
前記計数手段が計数した階床数および当該階床数の計数をおこなった日時を記憶する記憶手段と、
前記記憶手段が記憶した階床数と、前記エレベーターが設けられた建物の１階床分の尺度とに基づいて、前記カゴの走行距離を算出する算出手段と、
前記算出手段が算出した走行距離に関する情報を前記管理サーバコンピュータに送信する送信手段と、を備え、
前記管理サーバコンピュータは、
前記遠隔監視支援装置から送信された情報に基づいて、前記カゴの走行距離に関する情報を含む報告書情報を生成する報告書情報生成手段と、
前記報告書情報生成手段が生成した報告書情報を出力する報告書情報出力手段と、を備えたことを特徴とする遠隔監視システム。
【請求項７】
エレベーターの動作を制御する制御基板に接続された遠隔監視支援装置が備えるコンピュータに、
前記制御基板から当該エレベーターが備えるカゴが位置する階床を示す階床信号を、前記制御基板が備える保守点検用の端子を介して、または、前記制御基板と前記カゴおよび各乗り場に設けられた操作盤のいずれかとを接続するＩ／Ｏ基板のコネクタ部を介して取得し、
取得した階床信号に基づいて、当該階床信号が示す階床が切り替わるごとに、前記カゴが移動した階床数を計数し、
計数した階床数および当該階床数の計数をおこなった日時を記憶部に記憶し、
前記記憶部が記憶する階床数と、前記エレベーターが設けられた建物の１階床分の尺度とに基づいて、前記カゴの走行距離を算出し、
算出した走行距離を前記記憶部に記憶し、
前記記憶部が記憶する走行距離に関する情報を管理サーバコンピュータに送信する、処理を実行させることを特徴とする遠隔監視支援プログラム。
【請求項８】
エレベーターの動作を制御する制御基板に接続された遠隔監視支援装置が備えるコンピュータに、
前記制御基板から当該エレベーターが備えるカゴが位置する階床を示す階床信号を、前記制御基板が備える保守点検用の端子を介して、または、前記制御基板と前記カゴおよび各乗り場に設けられた操作盤のいずれかとを接続するＩ／Ｏ基板のコネクタ部を介して取得し、
取得した階床信号に基づいて、当該階床信号が示す階床が切り替わるごとに、前記カゴが移動した階床数を計数し、
計数した階床数および当該階床数の計数をおこなった日時を記憶部に記憶し、
前記記憶部が記憶する階床数と、前記エレベーターが設けられた建物の１階床分の尺度とに基づいて、前記カゴの走行距離を算出し、
算出した走行距離に関する情報を管理サーバコンピュータに送信する処理を実行させることを特徴とする遠隔監視支援プログラム。
【請求項９】
エレベーターの動作を制御する制御基板に接続される遠隔監視支援装置と、当該遠隔監視支援装置と通信可能な管理サーバコンピュータと、を備えた遠隔監視システムに実行させる遠隔監視プログラムであって、
前記遠隔監視支援装置が備えるコンピュータに、
前記制御基板から前記エレベーターが備えるカゴが位置する階床を示す階床信号を、前記制御基板が備える保守点検用の端子を介して、または、前記制御基板と前記カゴおよび各乗り場に設けられた操作盤のいずれかとを接続するＩ／Ｏ基板のコネクタ部を介して取得し、
取得した階床信号に基づいて、当該階床信号が示す階床が切り替わるごとに、前記カゴが移動した階床数を計数し、
計数した階床数および当該階床数の計数をおこなった日時を記憶部に記憶し、
前記記憶部が記憶する階床数と、前記エレベーターが設けられた建物の１階床分の尺度とに基づいて、前記カゴの走行距離を算出し、
算出した走行距離を前記記憶部に記憶し、
前記記憶部が記憶する走行距離に関する情報を前記管理サーバコンピュータに送信する処理を実行させ、
前記管理サーバコンピュータが備えるコンピュータに、
前記遠隔監視支援装置から送信された情報に基づいて、前記カゴの走行距離に関する情報を含む報告書情報を生成し、
生成した報告書情報を出力する処理を実行させることを特徴とする遠隔監視プログラム。
【請求項１０】
エレベーターの動作を制御する制御基板に接続される遠隔監視支援装置と、当該遠隔監視支援装置と通信可能な管理サーバコンピュータと、を備えた遠隔監視システムに実行させる遠隔監視プログラムであって、
前記遠隔監視支援装置が備えるコンピュータに、
前記制御基板から前記エレベーターが備えるカゴが位置する階床を示す階床信号を、前記制御基板が備える保守点検用の端子を介して、または、前記制御基板と前記カゴおよび各乗り場に設けられた操作盤のいずれかとを接続するＩ／Ｏ基板のコネクタ部を介して取得し、
取得した階床信号に基づいて、当該階床信号が示す階床が切り替わるごとに、前記カゴが移動した階床数を計数し、
計数した階床数および当該階床数の計数をおこなった日時を記憶部に記憶し、
前記記憶部が記憶する階床数と、前記エレベーターが設けられた建物の１階床分の尺度とに基づいて、前記カゴの走行距離を算出し、
算出した走行距離に関する情報を前記管理サーバコンピュータに送信する処理を実行させ、
前記管理サーバコンピュータが備えるコンピュータに、
前記遠隔監視支援装置から送信された情報に基づいて、前記カゴの走行距離に関する情報を含む報告書情報を生成し、
生成した報告書情報を出力する処理を実行させることを特徴とする遠隔監視プログラム。